(57)【要約】本発明は，ボタン用装飾具に関するものでボタン（１）に結合され，衣類（２）やカバン（３）等を装飾するものである。上記ボタン用装飾具（４）は，ボタン（１）の上部に付けられ，固定されるとともに，多様な形状の材料で飾られた装飾具本体（５）と，この装飾具本体（５）の後方に固定設置され，直接ボタン（１）に結合される一組の弾性バンド（６）と，弾性バンド（６）に挿入され，弾性バンド（６）を引き締める一組の玉（７）と，上記弾性バンド（６）の各端部に付着され，弾性バンド（６）の端部を上記装飾具本体（５）の裏面に各々固定させるバンド固定部材（８）とを備える。このようなボタン用装飾具によれば，衣類およびカバンなどのボタンに装飾具が簡便で丈夫に締結されることによって使用上便利であり，低費用で製作され，着こなしもよくする他アクセサリ機能もできるため，消費者に大きい満足を与えられ，平凡な服やカバンなどに付着させて新鮮さを与えて消費者の多様な好みを充足させられる。
2005519655.tif 000002
【特許請求の範囲】
【請求項１】
ボタン（１）の上部に取付けられ固定されると共に，多様な形状の装飾材料で飾られた装飾具本体（５）と，
前記装飾具本体（５）の裏面に固定され，前記ボタン（１）に直接結ばれる一組の弾性バンド（６）と，
前記弾性バンド（６）の引き締め力を高めるため，前記弾性バンド（６）に挿入され前記弾性バンド（６）を引き締める一組の玉（７）と，
前記各弾性バンド（６）の端部に付着され，前記各弾性バンド（６）の端部を前記装飾具本体（５）の裏面に各々固定できるようにしたバンド固定部材（８）と，
を備えることを特徴とする，ボタン用装飾具。
【発明の詳細な説明】
【０００１】
従来技術
本発明は，ボタンを装飾するボタン用装飾具にかかり，より詳細には，ボタンに簡単につけられ，丈夫な状態でボタンの上部に固定されることにより服やカバンなどの外的美観を向上させることができるボタン用装飾具に関するものである。
【０００２】
背景技術
一般的に，ボタンは衣類やカバンなどに付着され，服を整え，またはカバンを開閉するために使われるが，最近衣類やカバンのおしゃれ度を高めるため，上記ボタンを飾る技術が多様な方法で開発されている。
【０００３】
すなわち，消費者の間に上記のようなボタンも一つの装飾品という認識が広がり，ボタンの形と形状に大きい変化が現れ，特にボタン自体に多様な宝石を付けて，その装飾効果を一層向上させることができるようになった。
【０００４】
しかし，上記の通りにボタンに各種宝石などの装飾物を設置するようになる場合，装飾効果は優れるが装飾物が接着剤などでボタンに付着しているため，外部の衝撃や使用者の不注意により装飾物が剥がれ落ちるなどの不都合があり，また上記装飾物が大体高価なため，一般的な服やカバンなどには利用し難かった。
【０００５】
一方，上記ボタン機能がありながら衣類を飾れるようになったカフスボタン（cuffs button）の場合には，ワイシャツの袖などにあけられたボタン穴に挟まれ，袖を整えるようになっている。このため，上記カフスボタンはボタンの代わりになる装飾品として主に男性用ワイシャツ袖に着用される。
【０００６】
しかし，上記カフス ボタンの場合，高価なために消費者に負担を与え，小さい衝撃によっても簡単に外れてしまい，紛失し易いという問題があった。
【０００７】
発明の開示
本発明は，上記の諸事情を考慮して案出されたもので，ボタンに簡単に取付けることができ，ボタンの上部にしっかり固定されることにより服やカバンなどの外的美観を向上できるようにしたボタン用装飾具を提供することが目的である。
【０００８】
上記の目的を達成するため，本発明にかかるボタン用装飾具は，ボタンの上部に取付けられ固定されると供に，多様な形状の装飾材料で飾られた装飾具本体と，この装飾具本体の裏面に固定され，ボタンに直接結ばれる一組の弾性バンドと，この弾性バンドの引き締める力を高めるため，弾性バンドに挿入され弾性バンドを引き締める一組の玉と，上記弾性バンドの両端部に付着され，弾性バンドの両端部を上記装飾具本体の裏面に各々固定できるバンド固定部材とを備える。
【０００９】
すなわち，上記のように構成されたボタン用装飾具は，上記弾性バンドを通し，ボタンと結びつきながら，ボタン上部面に付着固定されるため，上記弾性バンドに結びついた一組の玉をかたく締めることによって，より丈夫な状態でボタンにボタン用装飾具が固定される。
【００１０】
従って，衣類およびカバンなどのボタンにボタン用装飾具が簡単に取付けることができ，しかもかたく引き締められることによってしっかり固定することができるので，使用上の便利さ，低費用，着こなしの良さ，アクセサリ機能するなどの利点を有することから，消費者の満足感を大きくすることができる。また，服やカバンなどに付着させ，新鮮さを与えるため消費者の多様な好みを充足させることができる。
【００１１】
本発明を実施するための最良の形態
以下，本発明にかかるボタン用装飾具（キャラクタ装飾具）を添付された例示図面を参照しながら詳細に説明する。
【００１２】
図１は本発明にかかるボタン用装飾具のボタンを図示した斜視図であり，図２は本発明かかるボタン用装飾具の引き締め手段を図示した斜視図である。図３は本発明かかるボタン用装飾具がボタンに結ばれている状態を図示した状態図であり，図４は本発明かかるボタン用装飾具の弾性バンドがボタンに引き締める状態を図示した状態図である。図５は本発明によるボタン用装飾具が袖のボタンに固定された状態を図示した斜視図であり，図６は本発明によるボタン用装飾具がカバンのボタンに固定された状態を図示した斜視図である。
【００１３】
上記の図面により，本発明の構成を説明すると，本発明かかるボタン用装飾具（４）は，ボタン（１）に結びつき，衣類（２）やカバン（３）等を飾るボタン用装飾具（４）と，ボタン（１）の表面に付けられ，固定されることと供に多様な形状の装飾材料で飾られた装飾具本体（５）と，この装飾具本体（５）の裏面に固定され，ボタン（１）に直接締結される一組の弾性バンド（６）と，この弾性バンド（６）の引き締め力を高めるために弾性バンド（６）に挿入されて，弾性バンド（６）を引き締める一組の玉（７）と，上記弾性バンド（６）の各先端に付着設置され，弾性バンド（６）の端部を上記装飾具本体（５）の裏面に各々固定させるバンド固定部材（８）とを備える。
【００１４】
ここで，上記ボタン用装飾具（４）は，衣類（２）のボタン（１）やカバン（３）等に簡単につけられることがその特徴の一つである。輪形状で節曲された一方の弾性バンド（６）をボタン（１）の裏面にかけた後，上記弾性バンド（６）に挿入されている引き締め用の一組の玉（７）を中央に引くことで，ボタン（１）にかかった弾性バンド（６）を丈夫な状態で引き締めることができる。
【００１５】
また，上記の構造で形成されたボタン用装飾具（４）は上記弾性バンド（６）を通じて，ボタン（１）と結びつきながら，ボタン（１）表面に付着固定されるため，上記弾性バンド（６）に挟まれた一組の玉（７）を引くことでボタン（１）にボタン用装飾具（４）がしっかり固定されるようになる。
【００１６】
ここで，上記ボタン用装飾具（４）が衣類（２）のボタン（１）に固定される状態を図３と図４を参照しながら説明する。まず図３に示すように上記装飾具本体（５）の後方に設置された弾性バンド（６）を引いてボタン（１）の裏面で締める。その後，図４に示すように上記弾性バンド（６）に挿入された例えばビーズによって構成される一組の引き締め玉（７）を矢印方向に引っ張ることによりボタン（１）の裏面にかかった弾性バンド（６）が引き締められる。この状態で手を離すと上記弾性バンド（６）の弾性により，上記装飾具本体（５）がボタン（１）に締結された状態でボタン（１）の表面にしっかり固定される。
【００１７】
そして，上記ボタン用装飾具（４）の装飾具本体（５）表面は，衣類（２）やカバン（３）のイメージに合う多様な形状でデザインできる。各種キャラクタ形状や宝石および人形などにデザインすることで，その衣類（２）やカバン（３）のアクセントを与え，おしゃれ感を与えることができる。
【００１８】
例えば，図５に示すようにシャツの袖に付着したボタン（１）に上記ボタン用装飾具を取付けてもよい。また，図６に示すようにリュックサックのようなカバン（３）のボタン（１）に上記ボタン用装飾具（４）を取付けてもよい。これにより，より簡単にボタン（１）を装飾することができ，ボタン（１）の外的美感を向上させることができ，またボタン（１）にボタン用装飾具（４）をしっかり固定させることができる。
【００１９】
以上，本発明に係る好適な実施の形態について説明したが，本発明はかかる構成に限定されない。当業者であれば，特許請求の範囲に記載された技術思想の範囲内において，各種の修正例および変更例を想定し得るものであり，それらの修正例および変更例についても本発明の技術的範囲に包含されるものと了解される。
【００２０】
以上詳述したように，本発明にかかるボタン用装飾具によれば，衣類およびカバンなどのボタンに簡単に取付けることができ，またボタンにしっかり固定することができる。これにより，使用上も便利であり，低費用で製造することができ，着こなしの良さ，アクセサリ機能を果すことができ，消費者に大きい満足を与えることができる。また服やカバンなどに付着させて，新鮮さを与えることにより，消費者の多様な好みを充足させることができる。
【図面の簡単な説明】
【図１】
図１は本発明によるボタン用装飾具を示した斜視図。
【図２】
図２は本発明によるボタン用装飾具の引き締め手段を示した斜視図。
【図３】
図３は本発明によるボタン用装飾具をボタンにつけた状態を表した状態図。
【図４】
図４は本発明によるボタン用装飾具の弾性バンドがボタンに引き締める状態を表した状態図。
【図５】
図５は本発明によるボタン用装飾具が，袖のボタンに固定された状態を示した斜視図。
【図６】
図６は本発明によるボタン用装飾具がカバンのボタンに固定された状態を示した斜視図。
【符号の説明】
１:ボタン
２:衣類
３:カバン
４:ボタン用装飾具
５:装飾具本体
６:弾性バンド
７:引き締める一組の玉
８:バンド固定部材
【図１】
2005519655.tif 000003
【図２】
2005519655.tif 000004
【図３】
2005519655.tif 000005
【図４】
2005519655.tif 000006
【図５】
2005519655.tif 000007
【図６】
2005519655.tif 000008
【国際調査報告】
2005519655.tif 000009